(57)【要約】【課題】  回転体を回動付勢する駆動スプリングを組付ける際、作業者が容易に駆動スプリングを組付けることができる、車両用収納装置の提供。【解決手段】  （１）収納装置本体２０と、収納装置本体２０に回動可能に取付けられる回転体３０と、収納装置本体２０に引っ掛けられる第１の足部４２と回転体３０に引っ掛けられる第２の足部４３を備え回転体３０を回動付勢する駆動スプリング４０と、を有し、収納装置本体２０に、駆動スプリング４０を組付ける際に第１の足部４２を収納装置本体２０の壁面２１ａから離れる方向に移動させる傾斜面２３ａが設けられている、車両用収納装置。（２）傾斜面２３ａは壁面２１ａに設けられたリブ２３に設けられており、リブ２３に第２の足部が所定位置よりも先に移動することを規制する規制部２３ｂが設けられている。【選択図】        図３
2005343361.tif 000002
【特許請求の範囲】
【請求項１】
（ａ）収納装置本体と
（ｂ）前記収納装置本体に回動可能に取付けられる回転体と、
（ｃ）前記収納装置本体に引っ掛けられる第１の足部と前記回転体に引っ掛けられる第２の足部を備え前記回転体を回動付勢する駆動スプリングと、
を有する車両用収納装置であって、
前記収納装置本体に、前記駆動スプリングを組付ける際に前記第１の足部を前記収納装置本体の壁面から離れる方向に移動させる傾斜面が設けられている、車両用収納装置。
【請求項２】
前記駆動スプリングの第１の足部は、前記第２の足部を前記回転体に引っ掛け該回転体を前記収納装置本体に組付けるときに、前記傾斜面に沿って前記収納装置本体の壁面から離れる方向に移動する、請求項１記載の車両用収納装置。
【請求項３】
前記傾斜面は前記収納装置本体の壁面に設けられたリブに設けられており、該リブに前記第２の足部が所定位置よりも先に移動することを規制する規制部が設けられている、請求項１記載の車両用収納装置。
【発明の詳細な説明】
【技術分野】
【０００１】
本発明は、ドアなどの回転体を回動付勢する駆動スプリングを有する車両用収納装置に関する。
【背景技術】
【０００２】
従来の車両用収納装置は、図４に示すように、収納装置本体２と、収納装置本体２に回動可能に取付けられるリンク３ａとリンク３ａに回動可能に取付けられるドア３ｂとを備える回転体３と、回転体３を回動付勢する駆動スプリング４とを、有している。
駆動スプリング４の組付けは、巻部４ａを収納装置本体２のボス部２ａに嵌め、次にリンク３ａを収納装置本体２に組付けてリンク３ａに一方の足部４ｂを引っ掛け、次いで他方の足部４ｃを駆動スプリング４の付勢力に抗して収納装置本体２の引っ掛け部２ｂまでもっていくことで、行われる。
【０００３】
しかし、ガタ抑えのためにある程度、収納装置本体２とリンク３ａとで巻部４ａを軸方向に圧縮しているため（テンションをかけているため）、収納装置本体２に巻部４ａをセットし、次にリンク３ａを組付けてリンク３ａに一方の足部４ｂを引っ掛けたとき、図５に示すように、他方の足部４ｃが収納装置本体２の側壁面２ｃに押し付けられる（くっつく）。そのため、他方の足部４ｃを引っ掛け部２ｂまで持ってくるために、作業者はかぎ形状のような道具で他方の足部４ｃを側壁面２ｃから離れさせないとその足部４ｃをもつことができない。
また、収納装置本体２に巻部４ａをセットし、次にリンク３ａを組付けてリンク３ａに一方の足部４ｂを引っ掛けたとき、駆動スプリング４は、左回りのテンションがかかっているため、他方の足部４ｃがリンク３ａの陰に入り込むおそれがある。他方の足部４ｃがリンク３ａの陰に入り込んでしまうと、他方の足部４ｃを引っ掛け部２ｂまでもっていくことが困難になる。
【特許文献１】特開平８−３１０３０９号公報
【発明の開示】
【発明が解決しようとする課題】
【０００４】
本発明が解決しようとする問題点は、駆動スプリングの組付けが困難なことである。
本発明の目的は、回転体を回動付勢する駆動スプリングを組付ける際、作業者が容易に駆動スプリングを組付けることができる、車両用収納装置を提供することにある。
【課題を解決するための手段】
【０００５】
上記目的を達成する本発明はつぎの通りである。
（１）  （ａ）収納装置本体と
（ｂ）前記収納装置本体に回動可能に取付けられる回転体と、
（ｃ）前記収納装置本体に引っ掛けられる第１の足部と前記回転体に引っ掛けられる第２の足部を備え前記回転体を回動付勢する駆動スプリングと、
を有する車両用収納装置であって、
前記収納装置本体に、前記駆動スプリングを組付ける際に前記第１の足部を前記収納装置本体の壁面から離れる方向に移動させる傾斜面が設けられている、車両用収納装置。
（２）  前記駆動スプリングの第１の足部は、前記第２の足部を前記回転体に引っ掛け該回転体を前記収納装置本体に組付けるときに、前記傾斜面に沿って前記収納装置本体の壁面から離れる方向に移動する、（１）記載の車両用収納装置。
（３）  前記傾斜面は前記収納装置本体の壁面に設けられたリブに設けられており、該リブに前記第２の足部が所定位置よりも先に移動することを規制する規制部が設けられている、（１）記載の車両用収納装置。
【発明の効果】
【０００６】
上記（１）の車両用収納装置では、収納装置本体に、駆動スプリングを組付ける際に第１の足部を収納装置本体の壁面から離れる方向に移動させる傾斜面が設けられているので、回転体に回動付勢力を与えるために、収納装置本体の引っ掛かり部まで第１の足部を容易に手でもっていくことができる。そのため、従来のようにかぎ形状の道具を用いて収納装置本体の壁面に接触している第１の足部を収納装置本体の壁面から離した後に収納装置本体の引っ掛かり部まで第１の足部をもっていく必要はなく、組付けが容易になる。
上記（２）の車両用収納装置では、第１の足部を傾斜面に沿って移動させるのに特別な作業は不要である。
上記（３）の車両用収納装置では、リブに規制部が設けられているので、第１の足部を収納装置本体に引っ掛ける前に第１の足部が駆動スプリングの付勢力で必要以上に回ってしまうことを防止できる。そのため、第１の足部が回転体の陰に入り込んでしまったりすることを防止でき、収納装置本体の引っ掛かり部まで第１の足部を容易に手でもっていくことができる。
【発明を実施するための最良の形態】
【０００７】
本発明実施例の車両用収納装置を、図１〜図３を参照して説明する。
本発明実施例の車両用収納装置は、例えば、車両用小物入れ装置、車両用カップホルダ、車両用灰皿装置などからなる。本発明実施例の車両用収納装置は、車両の内装部材であるインスツルメントパネル、コンソールパネル等に設けられる。
本発明実施例の車両用収納装置１０は、図１に示すように、収納装置本体２０と、収納装置本体２０に回動可能に取付けられる回転体３０と、回転体３０を回動付勢する駆動スプリング４０とを、有する。
【０００８】
収納装置本体２０は、側壁２１の外面２１ａに、ボス２２と、円弧リブ２３と、引っ掛け部２４を、有する。
ボス２２は、側壁外面２１ａから所定量突出して設けられている。
円弧リブ２３は、ボス２２を中心とする円弧上に設けられる。円弧リブ２３は、周方向のほぼ全周にわたって設けられていることが望ましい。円弧リブ２３が設けられているので、側壁外面２１ａと後述のリンク３１との間にゴミ等が入り込むことを防止できる。また、円弧リブ２３が設けられているので、ボス２２にリンク３１を取り付けているときに、リンク３１が収納装置本体２０に対してがたつくこと（側壁外面２１ａに対して傾くこと）を防止できる。
円弧リブ２３の周方向一端には、傾斜面２３ａが設けられている。傾斜面２３ａは、引っ掛け部２４から離れる方向にいくにしたがって、側壁２１の外面２１ａの一般面から離れる方向に傾斜する。傾斜面２３ａは、平面であってもよく、湾曲面であってもよい。
円弧リブ２３には、傾斜面２３ａの途中、または、傾斜面２３ａを超えたところに、規制部２３ｂが設けられている。規制部２３ｂは、駆動スプリング４０を組付ける際に駆動スプリング４０の第１の足部４２が規制部２３ｂよりも向こうに（先に）いくことを防止するために設けられている。規制部２３ｂは、円弧リブ２３に設けられた段差からなっていてもよく、円弧リブ２３に設けられた凹部からなっていてもよく、円弧リブ２３に設けられた突起からなっていてもよい（図示例では、規制部２３ｂが円弧リブ２３に設けられた段差からなる場合を示している）。
引っ掛け部２４には、駆動スプリング４０の第１の足部４２が引っ掛けられる。
【０００９】
回転体３０は、収納装置本体２０に回動可能に取付けられるリンク３１と、リンク３１に回動可能に取付けられるドア３２とを、備える。本発明実施例では、ドア３２の開閉動を二軸で行うようにしているため、リンク３１を介してドア３２を収納装置本体２０に取付けているが、ドア３２の開閉動を一軸で行うようにするならば、リンク３１を廃してドア３２を直接収納装置本体２０に取付けてもよい。
リンク３１は、収納装置本体２０の側壁２１の外面２１ａに配置される。リンク３１は、ボス部２２にビス５０で取付けられる。リンク３１には、駆動スプリング４０の第２の足部４３が引っ掛けられるスプリング引っ掛け穴３１ａが設けられている。
ドア３２は、収納装置本体２０の開口を開閉するドアである。ドア３２は、リンク３１の穴部３１ｂに回動可能に取付けられる。
回転体３０は、閉位置にあるドア３２をプッシュして図示略のロックを解除したとき、駆動スプリング４０の付勢力により開位置まで回動する。開位置にあるドア３２は、駆動スプリング４０の付勢力に抗して閉位置側に押し込むことで、図示略のロックがかかり、閉位置に保持される。
【００１０】
駆動スプリング４０は、トーションスプリングからなる。駆動スプリング４０は、巻部４１と、収納装置本体２０に引っ掛けられる第１の足部４２と回転体３０に引っ掛けられる第２の足部４３を備え、回転体３０を回動付勢する。
巻部４１は、収納装置本体２０の側壁２１の外面２１ａとリンク３１との間に配置される。巻部４１は、ガタ抑えのためにある程度、収納装置本体２０とリンク３１とで巻部４１の軸方向に圧縮されている。
第１の足部４２は、巻き部４１をボス２２に嵌め（差し込み）、リンク３１のスプリング引っ掛け穴３１ａに第２の足部４３を引っ掛けてリンク３１を収納装置本体２０にビス５０にて組付けた後、引っ掛け部２４に引っ掛けられる。
第２の足部４３は、リンク３１のスプリング引っ掛け穴３１ａに引っ掛けられる。
【００１１】
ここで、駆動スプリング４０の組付け作動を説明する。
まず、巻部４１をボス部２２に嵌める。このとき、駆動スプリング４０の第１、第２の足部４２、４３は、自由状態にあり、自重で巻部４１より下方に垂れ下がっている。
次いで、リンク３１を収納装置本体２０にビス５０にて組付け、リンク３１のスプリング引っ掛け穴３１ａに第２の足部４３を引っ掛け、第２の足部４３を巻き部４１まわりに所定の初期位置まで移動させる。このとき、第１の足部４１は、駆動スプリング４０の付勢力により、第２の足部４３とのなす角を一定に保ちながら、収納装置本体２０に対して巻部４１まわりに移動する。第１の足部４２が収納装置本体２０に対して移動すると、第１の足部４２は、図３に示すように、その移動途中から円弧リブ２３の傾斜面２３ａに乗り上げ傾斜面２３ａに沿って、側壁外面２１ａから離れる方向に移動する（第１の足部４２が浮いてくる）。第１の足部４２が手でつまみやすいまたは引っ掛けやすい位置まで側壁外面２１ａから離れたとき、第１の足部４２は、円弧リブ２３の規制部２３ｂによりそれ以上動くことを規制される。
次いで、図２に示すように、第１の足部４２を駆動スプリング４０の付勢力に抗して収納装置本体２０の引っ掛け部２４までもっていき（図２中、「組み付け時」から「取り付け位置」までもっていき）、第１の足部４２を引っ掛け部２４に引っ掛けることにより、駆動スプリング４０の組付けが終了する。
【００１２】
つぎに、本発明実施例の作用、効果を説明する。
傾斜面２３ａが設けられているので、収納装置本体２０に巻部４１をセットし、次にリンク３１を組付けてリンク３１に第２の足部４３を引っ掛けたとき、第１の足部４２が収納装置本体２０の側壁外面２１ａから離れた位置にくる。そのため、側壁外面２１ａから離れている第１の足部４２をそのまま引っ掛け部２４まで持っていけばよく、駆動スプリング４０の組付けが従来に比べて容易になる。
また、第１の足部４２を引っ掛け部２４まで持っていくのに、従来必要であったかぎ形状のような道具は不要である。また、側壁外面２１ａから離れている第１の足部４２を引っ掛け部２４まで持っていけばよいので、第１の足部４２を側壁外面２１ａから離す作業工程は不要になる。したがって、組付け工数を削減できる。
また、規制部２３ｂを設けたことにより、収納装置本体２０に巻部４１をセットし、次にリンク３１を組付けてリンク３１に第２の足部４３を引っ掛けたとき、第１の足部４２が側壁外面２１ａとリンク３１との間に（リンク３１の陰に）入り込むことを防止できる。そのため、リンク３１の陰に入り込む場合に比べて、第１の足部４２を容易に引っ掛け部２４までもっていくことができる。
【図面の簡単な説明】
【００１３】
【図１】本発明実施例の車両用収納装置の分解斜視図である。
【図２】本発明実施例の車両用収納装置の、部分側面図である。
【図３】本発明実施例の車両用収納装置の、駆動スプリングの第１の足部が傾斜面により収納装置本体の側壁外面から浮き上がった状態を示す、概念図である。
【図４】従来の車両用収納装置の、分解斜視図である。
【図５】従来の車両用収納装置の、駆動スプリングの一方の足部が収納装置本体の側壁外面にくっついている状態を示す、概念図である。
【符号の説明】
【００１４】
１０  車両用収納装置
２０  収納装置本体
２１  収納装置本体の側壁
２１ａ  側壁の外面
２２  ボス
２３  円弧リブ
２３ａ  傾斜面
２３ｂ  規制部
２４  引っ掛け部
３０  回転体
３１  リンク
３１ａ  スプリング引っ掛け穴
３２  ドア
４０  駆動スプリング
４１  巻部
４２  第１の足部
４３  第２の足部
【図１】
2005343361.tif 000003
【図２】
2005343361.tif 000004
【図３】
2005343361.tif 000005
【図４】
2005343361.tif 000006
【図５】
2005343361.tif 000007